(57)【要約】      （修正有）【課題】大気圧を超える設定気圧にされる内部空間に人間（人体）や小動物を収容して、体内に酸素を取り込むための高圧空間形成装置。【解決手段】高圧空気を耐圧ボックス３１外側に排気して内部空間を設定気圧に調整する空気調整穴３５と、高圧空気を耐圧ボックス３１外側に排気して内部空間を大気圧にする空気抜き窓口３３と、内部空間に配置され空気抜き窓口３３を内側から閉鎖又は開放する空気抜き窓体３４と、を備え、空気抜き窓体３４は高圧空気供給手段６による高圧空気の供給前に空気抜き窓口を閉じるように配置され、高圧空気の供給に伴って大気圧を超えて設定気圧未満の開閉気圧を受けると、空気抜き窓口３３を気密に閉鎖するとともに、高圧空気供給手段による高圧空気の供給停止に伴って内部空間が設定気圧から開閉気圧に達すると、空気抜き窓体３４の重量によって空気抜き窓口３３から離間して、空気抜き窓口３３を開放する高圧空間形成装置Ｘ。【選択図】図１
2012143346.tif 000002
【特許請求の範囲】
【請求項１】
大気圧を超える設定気圧の環境にされる内部空間に開口する出入口を有し、該内部空間に人体を収容する耐圧ボックスと、
前記内部空間に大気圧を超える気圧の高圧空気を供給する高圧空気供給手段と、
前記内部空間に空気を供給する空気供給手段と、
前記出入口の内側を開閉自在に配置され、前記内部空間に供給される高圧空気によって、前記出入口を気密に閉じる開閉扉体と、
前記内部空間の高圧空気を前記耐圧ボックス外側に排気して、前記内部空間を設定気圧に調整する空気調整穴と、
前記内部空間の高圧空気を前記耐圧ボックス外側に排気して、前記内部空間を大気圧にする空気抜き窓口と、
前記内部空間に配置され、前記空気抜き窓口を内側から閉鎖又は開放する空気抜き窓体と、を備え、
前記空気抜き窓体は、
前記高圧空気供給手段による高圧空気の供給前に、前記空気抜き窓口を閉じるように配置され、前記内部空間への高圧空気の供給に伴って、大気圧を超えて設定気圧未満の開閉気圧を受けると、前記空気抜き窓口を気密に閉鎖するとともに、
前記高圧空気供給手段による高圧空気の供給停止に伴って、前記内部空間が設定気圧から開閉気圧に達すると、該空気抜き窓体の重量によって前記空気抜き窓口から離間して、該空気抜き窓口を開放する、
ことを特徴とする高圧空間形成装置。
【請求項２】
前記高圧空気供給手段を制御する制御手段と、
前記耐圧ボックス外側の大気圧を検出して、大気圧情報を前記制御手段に出力する大気圧検出手段を備え、
前記制御手段は、
前記大気圧情報に８５〜９０ｈＰｓの気圧値を加算して、前記設定気圧を決定するとともに、
前記内部空間が前記設定気圧となるように、前記高圧空気供給手段を制御することを特徴とする請求項１に記載の高圧空間形成装置。
【請求項３】
前記空気抜き窓口は、
前記開閉扉体に形成され、前記高圧空気を前記耐圧ボックス外側に排気し、
前記空気調整穴は、
前記開閉扉体に形成され、前記高圧空気を前記耐圧ボックス外側に排気するとともに、前記空気抜き窓口を間に配置する両側に夫々設けられていることを特徴とする請求項１又は２に記載の高圧空間形成装置。
【請求項４】
前記空気抜き窓体は、
透明樹脂で形成されていることを特徴とする請求項１又は３記載の高圧空間形成装置。
【発明の詳細な説明】
【技術分野】
【０００１】
本発明は、大気圧を超える設定気圧にされる内部空間に人間（人体）や小動物を収容して、体内に酸素を取り込むための高圧空間形成装置に関する。
【背景技術】
【０００２】
一般に、大気圧を超える高圧空間の環境においては、大気圧に比べて酸素濃度が増加する。この高圧空間の環境に人間（人体）を曝すことで、通常の呼吸によって酸素を体内に取り込むことに加えて、血液の血漿、体液及びリンパ液に溶け込む酸素を体内に取り込むことができ、老化防止、疲労回復、病気や怪我の治療に効果があることが知られている。
【０００３】
人間（人体）を高圧空間に曝す技術として、特許文献１に開示する技術は、高加圧容器内に人間を収容して、圧縮空気コンプレッサから高加圧容器に高圧空気を供給することで、人間を高圧空気の環境に曝している。この高加圧容器は、下タンク部及び上カバー部で構成され、上カバー部は下タンク部の上方側に回動自在にされて、下タンク部を開閉する。
この特許文献１に開示する技術では、高加圧容器に高圧空気を供給して、加圧する時に、上カバー部が不用意に開くことを防止するため、係止部材を上カバー部及び下タンク部に掛け渡して閉鎖している。
【０００４】
しかしながら、特許文献１に開示する技術は、係止部材を高加圧容器の外側に配置しているので、人間（人体）を収容した高加圧容器を閉鎖するには、外部補助者によって係止部材を上カバー部及び下タンク部に掛け渡す必要がある。
従って、緊急時等に、高加圧容器内の人間が外側に脱出するには、外部補助者の協力が必要となり、外部補助者がいない時は、高加圧容器内の人間は外側に脱出できないという問題がある。
【先行技術文献】
【特許文献】
【０００５】
【特許文献１】特開２０１０−６５７２６号公報
【発明の概要】
【発明が解決しようとする課題】
【０００６】
本発明は、外部補助者の協力を必要とすることなく、内部空間の気圧を設定気圧から大気圧にすることができ、内部空間内の人間が耐圧ボックス外側に脱出することのできる高圧空間形成装置を提供することにある。
【課題を解決するための手段】
【０００７】
本発明に係る請求項１は、大気圧を超える設定気圧の環境にされる内部空間に開口する出入口を有し、該内部空間に人体を収容する耐圧ボックスと、前記内部空間に大気圧を超える気圧の高圧空気を供給する高圧空気供給手段と、前記内部空間に空気を供給する空気供給手段と、前記出入口の内側を開閉自在に配置され、前記内部空間に供給される高圧空気によって、前記出入口を気密に閉じる開閉扉体と、前記内部空間の高圧空気を前記耐圧ボックス外側に排気して、前記内部空間を設定気圧に調整する空気調整穴と、前記内部空間の高圧空気を前記耐圧ボックス外側に排気して、前記内部空間を大気圧にする空気抜き窓口と、前記内部空間に配置され、前記空気抜き窓口を内側から閉鎖又は開放する空気抜き窓体と、を備え、前記空気抜き窓体は、前記高圧空気供給手段による高圧空気の供給前に、前記空気抜き窓口を閉じるように配置され、前記内部空間への高圧空気の供給に伴って、大気圧を超えて設定気圧未満の開閉気圧を受けると、前記空気抜き窓口を気密に閉鎖するとともに、前記高圧空気供給手段による高圧空気の供給停止に伴って、前記内部空間が設定気圧から開閉気圧に達すると、該空気抜き窓体の重量によって前記空気抜き窓口から離間して、該空気抜き窓口を開放することを特徴とする高圧空間形成装置に関する。
【０００８】
本発明に係る請求項２は、前記高圧空気供給手段を制御する制御手段と、前記耐圧ボックス外側の大気圧を検出して、大気圧情報を前記制御手段に出力する大気圧検出手段を備え、前記制御手段は、前記大気圧情報に８５〜９０ｈＰｓの気圧値を加算して、前記設定気圧を決定するとともに、前記内部空間が前記設定気圧となるように、前記高圧空気供給手段を制御することを特徴とする請求項１に記載の高圧空間形成装置に関する。
【０００９】
本発明に係る請求項３は、前記空気抜き窓口は、前記開閉扉体に形成され、前記高圧空気を前記耐圧ボックス外側に排気し、前記空気調整穴は、前記開閉扉体に形成され、前記高圧空気を前記耐圧ボックス外側に排気するとともに、前記空気抜き窓口を間に配置する両側に夫々設けられていることを特徴とする請求項１又は２に記載の高圧空間形成装置に関する。
【００１０】
本発明に係る請求項４は、前記空気抜き窓体は、透明樹脂で形成されていることを特徴とする請求項１又は３記載の高圧空間形成装置に関する。
【発明の効果】
【００１１】
本発明に係る請求項１によれば、内部空間に供給される高圧空気によって、耐圧ボックスの出入口を開閉扉体で気密に閉じることができ、内部空間の気圧が設定気圧未満の開閉気圧に達すると、空気抜き窓口を空気抜き窓体で気密に閉鎖できる。この状態で、高圧空気供給手段により内部空間に高圧空気を供給し、空気調整穴から内部空間の高圧空気を排気することで、内部空間の気圧を設定気圧に調整、維持できるので、内部空間の気圧を制御する構成が簡単になる。
また、高圧空気供給手段による高圧空気の供給停止に伴って、内部空間の気圧を設定気圧から大気圧まで減圧するとき、内部空間の高圧空気は、空気調整穴から耐圧ボックス外側に排気され、この排気によって設定気圧から開閉気圧に達すると、空気抜き窓体が窓体の重量によって空気抜き窓口から離間することで、空気抜き窓口が開放されて、内部空間の高圧空気を瞬時に排気できる。
従って、内部空間の人体（人間）、耐圧ボックス外側にいる外部補助者は、何ら作業、操作することなく、内部空間を設定気圧から大気圧にすることができる。また、通常時及び緊急時に、外部補助者がいなくても、内部空間を設定気圧から大気圧まで戻すことができる。これにより、内部空間の人間（人体）は、開閉扉体を開いて、耐圧ボックス外側に脱出できるので、安全な高圧空間形成装置を提供することが可能となる。
更に、空気供給手段によって内部空間に、常時、空気（酸素）を供給することができるので、内部空間の人間（人体）が酸欠になることが防止できる。
【００１２】
本発明に係る請求項２によれば、内部空間の気圧を１．０９〜１．１０気圧の設定気圧まで加圧するので、人間に作用する気圧による疲れを誘発することなく、人間の耳抜きも容易にできる。
【００１３】
本発明に係る請求項３によれば、高圧空気供給手段による高圧空気の供給に伴って、内部空間を加圧すると、内部空間の高圧空気は、空気抜き窓口の両側に配置される空気調整穴から耐圧ボックス外側に排気されるので、この排気される高圧空気の流動によって、空気抜き窓体は開閉扉体に吸引される。従って、空気抜き窓体は、開閉気圧及び高圧空気の流動によって、開閉扉体に押付けられ、確実に、空気抜き窓口を気密に閉鎖させることができる。
【００１４】
本発明に係る請求項４によれば、空気抜き窓体で空気抜き窓口を閉鎖しても、耐圧ボックス外側から内部空間を照明でき、しかも、内部空間の人間（人体）を空気抜き窓体から認識できる。
【図面の簡単な説明】
【００１５】
【図１】本発明に係る高圧空間形成装置の全体構成を示すブロック図である。
【図２】耐圧ボックスを示す正面図である。
【図３】耐圧ボックスを示す側面図である。
【図４】耐圧ボックスを示す背面図である。
【図５】図３のＣ−Ｃ断面図である。
【図６】図２のＢ−Ｂ断面図である。
【図７】図２のＡ−Ａ断面拡大図であって、空気抜き窓口の開放を示す図である。
【図８】図２のＡ−Ａ断面拡大図であって、空気抜き窓口の閉鎖を示す図である。
【図９】図２のＢ−Ｂ断面拡大図であって、空気抜き窓口の開放を示す図である。
【図１０】図２のＢ−Ｂ断面拡大図であって、空気抜き窓口の閉鎖を示す図である。
【図１１】図２のＢ−Ｂ断面拡大図である。
【図１２】高圧空間形成装置の加圧動作及び減圧動作の手順を示すフローチャート図である。
【図１３】高圧空間形成装置の加圧動作及び減圧動作の手順を示すフローチャート図である。
【図１４】高圧空間形成装置の加圧動作及び減圧動作を示すタイムチャート図である。
【図１５】他の実施形態における高圧空間形成装置の耐圧ボックスを示す正面図である。
【図１６】他の実施形態における高圧空間形成装置の耐圧ボックスを示す側面図である。
【発明を実施するための形態】
【００１６】
本発明の係る高圧空間形成装置について、図１乃至図１６を参照して説明する。
【００１７】
先ず、高圧空間形成装置の全体構成について、図１を参照して説明する。
【００１８】
＜高圧空間形成層貯の全体構成＞
図１において、高圧空気形成装置（Ｘ）は、耐圧ボックス（３１）、制御手段（２）、大気圧検出手段（３）、内気圧検出手段（５）、高圧空気供給手段（６）及び空気供給手段（７）を備えている。
【００１９】
耐圧ボックス（３１）は、人間（人体）や小動物（犬、猫等のペット）を収容する内部空間（Ａ）を区画しており、内部空間（Ａ）は大気圧（Ｐ）を超える設定気圧（Ｐｓ）の環境にされる。また、耐圧ボックス（３１）の内部空間（Ａ）には、空気管路（７１）が接続され、この空気管路（７１）は耐圧ボックス（３１）外側に延びて、安全弁（７２）に接続されている。
【００２０】
制御手段（２）は、制御部（８）、設定記憶部（ＲＯＭ）、作業記憶部（ＲＡＭ）及びタイマ（９）を備えている。
制御部（８）は、各記憶部（ＲＯＭ）、（ＲＡＭ）及びタイマ（９）に接続され、設定記憶部（ＲＯＭ）に格納された制御プログラムに基づいて、高圧空気供給手段（６）及び空気供給手段（７）の駆動／停止を制御し、更にタイマ（９）の計時開始を制御する。設定記憶部（ＲＯＭ）には、制御プログラム、気圧値（Ｐｉ：８５〜９０ｈＰａ）、及び演算式等が格納、記憶されている。作業記憶部（ＲＡＭ）は、演算結果等を一時的に格納、記憶する。タイマ（９）は、制御部（８）の開始指令に基づいて、設定時間（Ｔｓ）、例えば１５分、３０分の時間を計時する。
【００２１】
また、制御部（８）は、操作パネル（１０）及びリモコン（１１）に接続されている。
操作パネル（１０）は、耐圧ボックス（３１）外側に設置され、電源スイッチ（１２）及び空気スイッチ（１３）を備えている。操作パネル（１０）は、各スイッチ（１２）、（１３）が操作されると、電源信号、空気要求信号を制御部（８）に出力する。
リモコン（１１）は、耐圧ボックス（３１）の内部空間（Ａ）に設置され、高圧空気スイッチ（１４）、停止スイッチ（１５）及びタイマ設定スイッチ（１６）を備えている。リモコン（１１）は、各スイッチ（１４）〜（１６）が操作されると、高圧空気要求信号、停止信号及びタイマ設定信号を制御部（８）に出力する。なお、タイマ設定スイッチ（１０）の操作によって、所望の設定時間（Ｔｓ）、例えば１５分、３０分の時間を設定できる。この設定時間（Ｔｓ）は、人間（人体）や小動物を内部空間（Ａ）の気圧（Ｐａ）に曝す時間である。
【００２２】
大気圧検出手段（３：以下、「大気圧センサ（３）」と称する）は、耐圧ボックス（３１）外側に設置され、例えば、耐圧ボックス（３１）外側の大気圧（Ｐ）を電気的に検出する。この大気圧センサ（３）は、制御部（８）に接続されており、大気圧（Ｐ）を検出して、大気圧情報（Ｐ）である大気圧信号を制御部（８）に出力する。
【００２３】
内気圧検出手段（５：以下、「内気圧センサ（５）」と称する）は、耐圧ボックス（３１）の内部空間（Ａ）に設置され、例えば、内部空間（Ａ）の気圧（Ｐａ）を電気的に検出する。この内気圧センサ（５）は、制御部（８）に接続されており、内部空間（Ａ）の気圧（Ｐａ）を検出して、内気圧信号を制御部（８）に出力する。
【００２４】
高圧空気供給手段（６：以下、「高圧空気コンプレッサ（６）」と称する）は、空気を圧縮して、大気圧を超える気圧の高圧空気を吐出する。
また、高圧空気コンプレッサ（６）は、空気管路（１７）に接続され、この空気管路（１７）は耐圧ボックス（３１）の内部空間（Ａ）に接続されている。
高圧空気コンプレッサ（６）は、高圧空気を空気管路（１７）に吐出して、空気管路（１７）から高圧空気を内部空間（Ａ）に供給する。
また、高圧空気コンプレッサ（６）は、制御部（８）に接続されており、制御部（８）の駆動／停止指令に基づいて、制御される。
【００２５】
空気供給手段（７：以下、「空気コンプレッサ（７）」と称する）は、空気を吐出する。
また、空気コンプレッサ（７）は、空気管路（１８）に接続され、この空気管路（１８）は、耐圧ボックス（３１）の内部空間（Ａ）に接続されている。
この空気コンプレッサ（６）は、空気を空気管路（１８）に吐出して、空気管路（１８）から空気を内部空間（Ａ）に供給する。
また、空気コンプレッサ（６）は、制御部（８）に接続されており、制御部（８）の駆動／停止指令に基づいて、制御される。
【００２６】
上記構成の制御手段（２）の制御部（８）は、大気圧センサ（３）の大気圧情報（Ｐ）である大気圧信号を入力すると、演算処理を実行して、設定気圧（Ｐｓ）を設定する。この設定気圧（Ｐｓ）は、耐圧ボックス（３１）外側の大気圧（Ｐ）に８５〜９０ｈＰａの気圧値（Ｐｉ）を加算した値であり、設定気圧（Ｐｓ）＝大気圧（Ｐ）＋気圧値（Ｐｉ）である。
制御手段（２）の制御部（８）は、高圧空気コンプレッサ（６）の駆動を制御することで、耐圧ボックス（３１）の内部空間（Ａ）を設定気圧（Ｐｓ）に調整、維持する。
【００２７】
また、高圧空間形成装置（Ｘ）は、図２乃至図１１に示すように、耐圧ボックス（３１）、開閉扉体（３２）、空気抜き窓口（３３）、空気抜き窓体（３４）及び空気調整穴（３５）を備えている。
開閉扉体（３２）、空気抜き窓口（３３）、空気抜き窓体（３４）及び空気調整穴（３５）は、耐圧ボックス（３１）に形成、又は設置されている。
【００２８】
＜耐圧ボックス（３１）の構成＞
図２乃至図９において、耐圧ボックス（３１）は、複数の壁板（３６）で構成されている。複数の壁板（３６）は、床壁板（３６Ａ）、前後壁板（３６Ｂ）、（３６Ｃ）、左右壁板（３６Ｄ）、（３６Ｅ）及び天井壁板（３６Ｆ）を備え、これら各壁板（３６Ａ）〜（３６Ｆ）で内部空間（Ａ）を区画している。これら各壁板（３６Ａ）〜（３６Ｆ）は、軽量、耐圧を図るため、例えば、アルミ合金で形成されている。
この耐圧ボックス（３１）は、基本構造として、前後方向に延びる長方体に構成され、後壁板（３６Ｃ）を後方側に突出する円弧状に形成している。また、天井壁板（３６Ｆ）は、上方側に突出する円弧状に形成され、前壁板（３６Ｂ）から前後方向に向かって上方側に傾斜し、更に下方側に傾斜して後壁板（３６Ｃ）まで延設されている。
各壁板（３６Ａ）〜（３６Ｆ）は、アルミ溶接されて、内部空間（Ａ）を密閉している。
また、床底板（３６Ａ）の内面には、図６に示すように、アルミ合金製の補強部材（３７Ａ）、（３７Ｂ）、（３７Ｃ）、（３７Ｄ）がアルミ溶接され、補強部材（３７Ａ）は、Ｘ状に形成されて、前後方向に延設されている。また、各補強部材（３７Ｂ）、（３７Ｃ）は、左右方向において、補強部材（３７Ａ）の両側に設置されて、前後方向に延設されている。また、補強部材（３７Ｄ）は、前後方向において、補強部材（３７Ａ）の前方に設置されて、左右方向に延設されている。
前壁板（３６Ｂ）の外面には、図２及び図３に示すように、アルミ合金製の補強部材（３７Ｅ）がアルミ溶接され、補強部材（３７Ｅ）は、開閉扉体（３２）の上方に設置されて、左右方向に延設されている。
また、左右壁板（３６Ｄ）、（３６Ｅ）の内面には、図３及び図５に示すように、アルミ合金製の補強部材（３７Ｆ）、（３７Ｇ）、（３７Ｈ）、（３７Ｉ）がアルミ溶接され、各補強部材（３７Ｆ）、（３７Ｇ）は、上下方向において、間隔を隔てて設置されて、前後方向に延設されている。また、各補強部材（３７Ｈ）、（３７Ｉ）は、上下方向において、間隔を隔てて設置されて、前後方向に延設されている。
これら各補強部材（３７Ａ）〜（３７Ｉ）は、耐圧ボックス（３１）が設定気圧（Ｐｓ）によって膨張して破壊することを防止している。
【００２９】
耐圧ボックス（３１）は、内部空間（Ａ）に開口する出入口（３８）を有し、出入口（３８）は前壁板（３６Ｂ）に形成されている。この出入口（３８）は、人間（人体）が四つん這いで内部空間（Ａ）に出入りできる開口面積を有している。また、出入口（３８）の縁周には、ゴム等の弾力性を有するシール部材（３９）が嵌め込まれている。このシール部材（３９）は、図６及び図７に示すように、内部空間（Ａ）及び前壁板（３６Ｂ）外側に突出している。
【００３０】
耐圧ボックス（３１）の内部空間（Ａ）は、大気圧（Ｐ）を超える設定気圧（Ｐｓ）の環境にされ、人間（人体）や小動物（犬、猫等のペット）を収容する。この内部空間（Ａ）は、腰を下ろした人間（人体）を収容できる容積にされている（図６参照）。
また、内部空間（Ａ）には、各種の空気管路（１７）、（１８）、（７１）が接続され、内気圧センサ（５）及びリモコン（１１）が設置されている。
更に、内部空間（Ａ）には、図６に示すように、安全弁（７３）が設置され、安全弁（７３）は空気管路（７４）に接続されている。空気管路（７４）は、内部空間（Ａ）から耐圧ボックス（３１）外側に延びており、安全弁（７３）の開弁によって、耐圧ボックス（３１）外側に内部空間（Ａ）の高圧空気を排気する。
【００３１】
＜開閉扉体（３２）の構成＞
開閉扉体（３２）は、図５、図６乃至図８に示すように、内部空間（Ａ）に設置されている。
この開閉扉体（３２）は、出入口（３８）の内側を開閉自在にするもので、複数の蝶番（４０）で回転自在に支持さている。これら各蝶番（４０）は、図５に示すように、出入口（３８）の左壁板（３６Ｄ）に配置されて、前壁板（３６Ｂ）に取付けられている。
開閉扉体（３２）は、図６及び図９に示すように、内部空間（Ａ）から前壁板（３６Ｂ）の内側に回転することで、シール部材（３９）に当接される。これにより、開閉扉体（３２）は、出入口（３８）を内側から閉じる。
一方、開閉扉体（３２）は、前壁板（３６Ｂ）の内側から内部空間（Ａ）に回転することで、出入口（３８）を開く。
【００３２】
＜空気抜き窓口（３３）の構成＞
空気抜き窓口（３３）は、図２、図５及び図７に示すように、開閉扉体（３２）に形成され、内部空間（Ａ）及び耐圧ボックス（３１）外側に開口している。この空気抜き窓口（３３）は、内部空間（Ａ）に供給される高圧空気を一瞬に、耐圧ボックス（３１）外側に排気する開口面積を有し、内部空間（Ａ）を大気圧（Ｐ）にする。なお、空気抜き窓口（３３）は、矩形状に形成され、開閉扉体（３２）上方側の中心に配置されている。
また、空気抜き窓口（３３）の縁周には、ゴム等の弾力性を有するシール部材（４１）が嵌め込まれている。このシール部材（４１）は、図７に示すように、内部空間（Ａ）及び開閉扉体（３２）外側に突出している。
【００３３】
＜空気抜き窓体（３４）の構成＞
空気抜き窓体（３４）は、図２、図５、図７及び図１０に示すように、内部空間（Ａ）に配置され、空気抜き窓口（３３）を内側から閉鎖又は開放する。この空気窓体（３４）は、アクリル等の透明樹脂によって矩形状に形成されている。
また、空気抜き窓体（３４）は、高圧空気コンプレッサ（６）による高圧空気の供給前に、空気抜き窓口（３３）を閉鎖するように配置される。この状態で、内部空間（Ａ）への高圧空気の供給に伴って、大気圧（Ｐ）を超えて設定気圧（Ｐｓ）未満の開閉気圧（Ｐｋ）を受けると、窓体（３４）の重量に抗して、空気抜き窓口（３３）の内側からシール部材（４１）に押付けられて、空気抜き窓口（３３）を閉鎖する（図１０参照）。
一方、内部空間（Ａ）の気圧（Ｐａ）が減圧されて設定気圧（Ｐｓ）から開閉気圧（Ｐｋ）に達すると、空気抜き窓体（３４）は、該窓体（３４）の重量によって床壁板（３６Ａ）側に落下して、空気抜き窓口（３３）から離間される。これにより、空気抜き窓体（３４）は、空気抜き窓口（３３）を開放して、内部空間（Ａ）を耐圧ボックス（３１）外側に連通させる（図７参照）。
以上のように、空気抜き窓体（３４）の重量は、開閉気圧（Ｐｋ）の関係で決定され、重量を重くすると、設定気圧（Ｐｓ）近傍の開閉気圧（Ｐｋ）によって空気抜き窓口（３３）を閉鎖及び開放でき、重量を軽くすると大気圧（Ｐ）近傍の開閉気圧（Ｐｋ）によって空気抜き窓口（３３）を閉鎖及び開放できる。
なお、空気抜き窓体（３４）の重量は、大気圧（Ｐ）近傍の開閉気圧（Ｐｋ）によって空気抜き窓口（３３）を閉鎖及び開放できるものとすることが好ましい。
【００３４】
更に、空気抜き窓体（３４）は、重量により落下すると、保持手段（５１）によって保持される。この保持手段（５１）は、図５及び図７に示すように、窓体受け部（５２）及び窓体保持部（５３）で構成されている。
窓体受け部（５２）は、空気抜き窓口（３３）の下方側に配置されて、開閉扉体（３２）の内側に取付けられている。この窓体受け部（５２）は、落下する空気抜き窓体（３４）の下端を受けて保持する。
窓体保持部（５３）は、開閉扉体（３２）の間に空気抜き窓体（３４）を配置して、開閉扉体（３２）の内側に取付けられている。この窓体保持部（５３）は、開閉扉体（３２）から内部空間（Ａ）内に傾斜する空気抜き窓体（３４）を保持する。
【００３５】
＜空気調整穴（３５）の構成＞
空気調整穴（３５）は、図２に示すように、開閉扉体（３２）に形成され、空気抜き窓口（３３）を間に配置する両側の夫々に設けられている。両側の空気調整穴（３５）は、内部空間（Ａ）及び耐圧ボックス（３１）外側に開口している。
これにより、空気調整穴（３５）は、高圧空気コンプレッサ（６）から内部空間（Ａ）に供給される高圧空気を排気することで、内部空間（Ａ）の気圧（Ｐａ）を設定気圧（Ｐｓ）に調整、維持する。
なお、空気調整穴（３５）は、高圧空気コンプレッサ（６）が内部空間（Ａ）に供給する高圧空気よりも、少ない流量の高圧空気を排気する開口面積にされている。
従って、空気調整穴（３５）の開口面積を大きくする程、排気される高圧空気の流量も多くなるので、内部空間（Ａ）はゆっくりと設定気圧（Ｐｓ）まで加圧される。逆に、開口面積を小さくする程、排気される高圧空気の流量も少なくなるので、内部空間（Ａ）は急激に設定気圧（Ｐｓ）まで加圧される。  
また、空気調整穴（３５）の開口面積は、空気抜き窓口（３５）の開口面積に対して十分に小さくされている。
【００３６】
次に、高圧空間形成装置（Ｘ）による加圧動作、及び減圧動作について、図１乃至図１４を参照して説明する。
なお、説明の便宜上、空気抜き窓体（３４）は、図７及び図８に示すように、窓体受け部（５２）及び窓体保持部（５３）で保持されて、空気抜き窓口（３３）を開放している。
【００３７】
＜高圧空間形成装置（Ｘ）の加圧動作＞
高圧空間形成装置（Ｘ）のユーザである人間（以下、「ユーザ」と称る）は、操作パネル（１０）の電源スイッチ（１２）をＯＮ操作すると（図１２及び図１４：ＳＴ０１）、操作パネル（１０）は電源信号を制御手段（２）に出力する。制御手段（２）の制御部（８）は、電源信号を入力すると、大気圧センサ（３）による大気圧の検出を開始させる（図１２：ＳＴ０２）。
【００３８】
続いて、制御部（８）は、大気圧センサ（３）から大気圧信号の大気圧情報（Ｐ）を入力すると（図１２：ＳＴ０３、Ｙ）、設定記憶部（ＲＯＭ）から気圧値（Ｐｉ）及び演算式を読出し、演算処理を実行する（図１２：ＳＴ０４）。
この演算処理は、設定気（Ｐｓ）を設定するもので、大気圧信号の大気圧情報（Ｐ）に、例えば、９０ｈＰａの気圧値（Ｐｉ）を加算する（Ｐｓ＝Ｐ＋Ｐｉ）。
大気圧センサ（３）は、耐圧ボックス（３１）外側において、実際の大気圧（Ｐ）を検出しており、例えば、大気圧情報（Ｐ）が１０１３ｈＰａであれば、設定気圧（Ｐｓ）は１０１３ｈＰａ＋９０ｈＰａ＝１１０３ｈＰａ（約１．１気圧）となり、大気圧情報（Ｐ）が１００５ｈＰａであれば、設定気圧（Ｐｓ）は１００５ｈＰａ＋９０ｈＰａ＝１０９５ｈＰａとなる。
このように、演算処理では、日々変動する大気圧（Ｐ）に、気圧値（Ｐｉ：８５〜９０ｈＰａ）を加算するもので、設定気圧（Ｐｓ）は、大気圧（Ｐ）に加算する気圧値（Ｐｉ）を適宜選択することで、１．０９〜１．１０気圧に設定される。
【００３９】
一方、操作パネル（１０）の空気スイッチ（１１）をＯＮ操作すると（図１２及び図１４：ＳＴ０５、）、操作パネル（１０）は、空気要求信号を制御手段（２）に出力する。制御手段（２）の制御部（８）は、空気要求信号を入力すると、空気コンプレッサ（７）に駆動指令を出力して、空気コンプレッサ（７）を駆動させる（図１２：ＳＴ０６）。
これにより、空気コンプレッサ（７）は、図１４に示すように、空気を空気管路（１８）に吐出して、空気管路（１８）から空気を耐圧ボックス（３１）の内部空間（Ａ）に供給する。
【００４０】
内部空間（Ａ）に空気が供給されると、開閉扉体（３２）を内部空間（Ａ）側に回転させて、耐圧ボックス（３１）の出入口（３８）を開く。
ユーザは、四つん這いの状態で、出入口（３８）から内部空間（Ａ）に入り、図６に示すように、耐圧ボックス（３１）の後壁板（３６Ｃ）側で腰を下ろして座る。
続いて、開閉扉体（３２）を前壁板（３６Ｂ）側に向けて回転して、出入口（３８）を閉じる。
【００４１】
出入口（３８）を開閉扉体（３２）で閉じた後、ユーザは、リモコン（１１）のタイマ設定スイッチ（１６）を操作することで（図１２：ＳＴ０７、Ｙ）、所望の設定時間（Ｔｓ）、例えば１５分の時間を設定する（図１２：ＳＴ０８）。リモコン（１１）は、タイマ設定信号を制御手段（２）に出力する。
【００４２】
続いて、高圧空気スイッチ（１４）をＯＮ操作すると（図１２及び図１４：ＳＴ０９）、リモコン（１１）は高圧空気要求信号を制御手段（２）に出力する。
また、ユーザは、高圧空気コンプレッサ（６）による高圧空気の供給前に、図１０に示すように、空気抜き窓体（３４）を窓体受け部（５１）から持ち上げて、空気抜き窓口（３３）を閉じるように配置する。
【００４３】
制御部（８）は、タイマ設定信号及び高圧空気要求信号を入力すると、タイマ（９）に開始指令を出力し、高圧空気コンプレッサ（６）に駆動指令を出力する（図１２及び図１４：ＳＴ１０）。
これにより、タイマ（９）は、設定時間（Ｔｓ）の計時を開始する。一方、高圧空気コンプレッサ（６）は、空気を圧縮して、大気圧を超える気圧の高圧空気を空気管路（１７）に吐出し、空気管路（１７）から高圧空気を内部空間（Ａ）に供給する。
【００４４】
高圧空気コンプレッサ（６）による高圧空気の供給に伴って、内部空間（Ａ）に供給される高圧空気よりも少ない高圧空気が、空気調整穴（３５）から排気されるので、内部空間（Ａ）の気圧（Ｐａ）は、急激に設定気圧（Ｐｓ）まで加圧されることなく、図１４に示すように、除々に昇圧、加圧される。
一方、高圧空気の供給に伴って、内部空間（Ａ）の気圧（Ｐａ）が大気圧（Ｐ）から開閉気圧（Ｐｋ）に達すると、空気抜き窓体（３４）は、内側全体で開閉気圧（Ｐｋ）を受ける。
これにより、空気抜き窓体（３４）は、図１０に示すように、開閉気圧（Ｐｋ）の作用によって、窓体（３４）の重量に抗して、空気抜き窓口（３３）の内側からシール部材（４１）に押付けられて、空気抜き窓口（３３）を閉鎖する。
また、内部空間（Ａ）に供給される高圧空気よりも少ない高圧空気は、空気抜き窓口（３３）の両側に配置される空気調整穴（３５）から排気されるので、この排気される高圧空気の排気流動によって、空気抜き窓体（３４）はシール部材（４１）側に吸引される。
従って、空気抜き窓体（３４）は、開閉気圧（Ｐｋ）及び高圧空気の流動による吸引によって、確実にシール部材（４１）に押付けられ、空気抜き窓口（３３）を気密に閉鎖する。
そして、高圧空気の供給に伴って、内部空間（Ａ）が開閉気圧（Ｐｋ）を超える気圧になると、空気抜き穴（３４）は、窓体（３４）の重量に抗して、シール部材（４１）に強く押付けられるので、ユーザが空気抜き窓体（３４）を離しても落下することがない。
【００４５】
制御手段（２）の制御部（８）は、内気圧センサ（５）の内気圧信号（Ｐａ）を逐次、入力して、内部空間（Ａ）の気圧（Ｐａ）を監視している。
内部空間（Ａ）の気圧（Ｐａ）が設定気圧（Ｐｓ）に達すると（図１３及び図１４：ＳＴ１１）、制御部（８）は、高圧空気コンプレッサ（６）の駆動を制御して（図１３：ＳＴ１２）、内部空間（Ａ）に供給する高圧空気を制御する。
これにより、内部空間（Ａ）は、図１４に示すように、高圧空気コンプレッサ（６）により供給する高圧空気と空気調整穴（３５）から排気する高圧空気が一定となり、１．０９〜１．１０気圧の設定気圧（Ｐｓ）に調整、維持される。
【００４６】
そして、内部空間（Ａ）の気圧（Ｐａ）を、大気圧近傍の１．０９〜１．１０気圧の設定気圧（Ｐｓ）に加圧すると、人間（人体）及び小動物に作用する気圧による疲れを少なくでき、人間の耳抜きも容易にできる。
しかも、内部空間（Ａ）を１．０９〜１．１０気圧の設定気圧（Ｐｓ）まで加圧すると、内部空間（Ａ）の酸素濃度（酸素含有率（％））を増加できる。例えば、１気圧の酸素濃度は約２０％であり、内部空間（Ａ）を１．１０気圧に加圧すると、酸素濃度は約２３％になる。
内部空間（Ａ）の酸素濃度を増加すると、人間や小動物は、結合型酸素のみならず、溶解型酸素も体内に取り込むことができ、老化防止、疲労回復、病気や怪我の治療に効果を奏する。
ここで、「結合型酸素」とは、通常の呼吸によって体内に取り込んで、血液中のヘモグロビンと結合して細胞に運ばれる酸素であり、「溶解型酸素」とは、血液の血漿、体液及びリンパ液に溶け込んで毛細血管から細胞に運ばれる酸素である。
また、内部空間（Ａ）には、空気コンプレッサ（７）から空気が常時、供給されているので、人間（人体）や小動物が酸欠になることもない。
更に、耐圧ボックス（３１）は、図２乃至図４に示すように、前後方向に異なる断面形状（図３のＣ−Ｃ断面）を構成しているので、人間（人体）や小動物に作用する設定圧力（Ｐｓ）は内部空間（Ａ）の前後方向で均一にならない。
従って、人間（人体）や小動物の頭、胸又は腰等から取り込まれる溶解型酸素の量も相違することになり、人体の特定部位から多くの溶解型酸素を取り込ませることができる。
【００４７】
＜高圧空間形成装置（Ｘ）の減圧動作＞
制御手段（２）は、タイマ（９）の計時を監視し、タイマ（９）は設定時間（Ｔｓ）を計時すると、タイマ終了信号を制御手段（２）に出力する（図１３及び図１４：ＳＴ１３）。
制御部（８）は、タイマ終了信号を入力すると、高圧空気コンプレッサ（６）に停止指令を出力し、高圧空気コンプレッサ（６）の駆動を停止させる（図１３及び図１４：ＳＴ１４）。
【００４８】
高圧空気の供給停止に伴って、内部空間（Ａ）の高圧空気は、空気調整穴（３５）から耐圧ボックス（３１）外側に排気されるので、内部空間（Ａ）の気圧（Ｐａ）は、図１４に示すように、除々に減圧される。
続いて、内部空間（Ａ）の気圧（Ｐａ）が設定気圧（Ｐｓ）から開閉気圧（Ｐｋ）に達すると（図１３：ＳＴ１５  Ｙ）、空気抜き窓体（３４）は、図７に示すように、窓体（３４）の重量によって空気抜き窓口（３３）から離間して、床壁板（３６Ａ）側に落下する（図１３：ＳＴ１１６）。
そして、空気抜き窓体（３４）は、窓体受け部（５２）で受け止められ保持されて、開閉扉体（３２）の内側から内部空間（Ａ）に傾斜する。
これにより、空気抜き窓体（３４）は、空気抜き窓口（３３）を開放するので、内部空間（Ａ）の高圧空気は、瞬時に耐圧ボックス（３１）外側に排気される。この高圧空気の排気によって、内部空間（Ａ）の気圧（Ｐａ）は大気圧（Ｐ）にされる（図７及び図１４参照）。
【００４９】
また、内部空間（Ａ）の気圧（Ｐａ）が開閉気圧（Ｐｋ）に達すると、空気抜き窓体（３４）は、落下した後、傾斜して、窓体保持部（５３）に当接する。そして、開閉扉体（３２）は、窓体保持部（５３）に当接する空気抜き窓体（３４）の重量によって、前壁板（３６Ｂ）の内側から内部空間（Ａ）に回転され、シール部材（４１）から離間する。これにより、開閉扉体（３２）は、出入口（３８）を幾分、開く。
続いて、ユーザは、開閉扉体（３２）を更に、内部空間（Ａ）に回転させることで、耐圧ボックス（３１）の出入口（３８）を完全に開く。
出入口（３８）を開くと、ユーザは、出入口（３８）から耐圧ボックス（３１）外側に出て、操作パネル（１０）の空気スイッチ（１３）をＯＦＦ操作する（図１３及び図１４：ＳＴ１７）。
制御手段（２）の制御部（８）は、空気スイッチ（１３）のＯＦＦ操作に基づいて、空気コンプレッサ（７）の駆動を停止する（図１３：ＳＴ１８）。
これにより、内部空間（Ａ）への空気の供給が停止され、電源（１２）のＯＦＦ操作によって高圧空間形成装置（Ｘ）の起動が停止される（図１３及び図１４：ＳＴ１９）。
【００５０】
一方、緊急時等において、ユーザが停止スイッチ（１５）をＯＮ操作すると、リモコン（１１）は停止信号を制御手段（２）に出力する。制御部（８）は、停止信号を入力すると、高圧空気コンプレッサ（６）に停止指令を出力して、高圧空気コンプレッサ（６）の駆動を停止する。これにより、緊急時等に、内部空間（Ａ）を減圧して、大気圧にできる。
また、緊急時等において、耐圧ボックス（３１）外側にいる外部補助者が安全弁（７２）を開弁し、又は内部空間（Ａ）のユーザが安全弁（７３）を開弁することで、内部空間（Ａ）の高圧空気を瞬時に排気して、内部空間（Ａ）を大気圧にできる。
【００５１】
以上のように、高圧空間形成装置（Ｘ）によれば、耐圧ボックス（３１）の出入口（３８）を閉じ、空気抜き窓口（３４）を閉鎖した状態において、高圧空気コンプレッサ（６）による高圧空気の供給、及び空気調整穴（３５）による高圧空気の排気によって、内部空間（Ａ）の気圧（Ｐａ）を調整、維持できるので、内部空間（Ａ）の気圧（Ｐａ）を制御する構成が簡単になる。
また、内部空間（Ａ）の気圧（Ｐａ）を設定気圧（Ｐｓ）から大気圧（Ｐ）まで減圧するとき、内部空間（Ａ）の高圧空気は、空気調整穴（３５）から排気でき、しかも、この排気によって設定気圧（Ｐｓ）から開閉気圧（Ｐｋ）に達すると、空気抜き窓口（３３）が開放されて、内部空間（Ａ）の高圧空気を瞬時に排気できる。従って、内部空間（Ａ）の人間、耐圧ボックス（３１）外側にいる外部補助者は、何ら作業、操作する必要がなく、内部空間（Ａ）の気圧（Ｐａ）を設定気圧（Ｐｓ）から大気圧（Ｐ）にすることができる。また、外部補助者がいなくても、内部空間（Ａ）の気圧（Ｐａ）を設定気圧（Ｐｓ）から大気圧（Ｐ）に戻すことができる。
更に、空気コンプレッサ（７）の駆動によって、内部空間（Ａ）に、常時、空気（酸素）を供給することができ、内部空間（Ａ）に収容される人間（人体）や小動物が酸欠になることを防止できる。
【００５２】
次に、他の実施形態における高圧空間形成装置（Ｘ）の耐圧ボックス（６１）について、図１５及び図１６を参照して説明する。
図１５は他の実施形態における高圧空間形成装置の耐圧ボックスを示す正面図であり、図１６は他の実施形態における高圧空間形成装置の耐圧ボックスを示す側面図である。なお、図１５及び図１６において、図２乃至図１１と同一符号は、同一構成、部材を示すので、その説明は省略する。
【００５３】
図１５及び図１６において、耐圧ボックス（６１）は、左右壁板（３６Ｄ）、（３６Ｅ）に複数のディンプル（６２）を形成している。複数のディンプル（６２）は、左右壁板（３６Ｄ）、（３６Ｅ）を部分的に円形状に凹まして形成されている。これら各ディンプル（６２）は、内部空間（Ａ）から耐圧ボックス（３１）外側に向けて凹まされて、耐圧ボックス（３１）外側に突出している。
また、各ディンプル（６２）は、図１６に示すように、左右壁板（３６Ｄ）、（３６Ｅ）の全体にわたって均一に配置され、設定圧力（Ｐｓ）による耐圧ボックス（６１）の耐圧性能を向上している。
なお、図１５及び図１６の耐圧ボックス（６１）は、図２乃至図６の耐圧ボックス（３１）と同一の各補強部材（３７Ａ）〜（３７Ｉ）を備え、各補強部材（３７Ｆ）、（３７Ｇ）は、図１６に示すように、上下方向において、各ディンプル（６２）の間に配置されて、前後方向に延設されている。また、各補強部材（３７Ｈ）、（３７Ｉ）は、上下方向において、各ディンプル（６２）の間に配置されて、前後方向に延設されている。
耐圧ボックス（６１）では、図１６に示すように、複数のディンプル（６２）の間に補強部材（３７Ａ）〜（３７Ｉ）を配置することで、設定圧力（Ｐｓ）による左右壁板（３６Ｅ）、（３６Ｄ）の膨張、収縮を減少させている。
このように、耐圧ボックス（６１）は、複数のディンプル（６２）及び補強部材（３７Ａ）〜（３７Ｉ）によって耐圧ボックス（６１）の耐圧性能を向上している。
【００５４】
本発明に係る高圧空間形成装置（Ｘ）は、空気抜き窓口（３３）、空気抜き窓体（３４）及び空気調整穴（３５）を開閉扉体（３２）に形成、設置しているが、これに限定されるものでなく、耐圧ボックス（３１）、（６１）の各壁板（３６Ａ）〜（３６Ｆ）に形成、設置しても良い。
また、空気調整穴（３５）は、１又は複数形成することができ、何らかの原因で閉塞されることを考慮すると、２以上形成することが好ましい。
更に、内部空間（Ａ）を加圧する設定時間（Ｔｓ）が経過したとき、音楽によって内部空間（Ａ）の人間（人体）に対して、減圧に入ることを報知しても良い。
また、耐圧ボックス（３１）、（６１）の内部空間（Ａ）にＬＥＤ等の照明機器を設置しても良い。
【００５５】
本発明に係る高圧空間形成装置（Ｘ）では、設定気圧（Ｐｓ）を１．０９〜１．１０気圧にすることについて説明したが、これに限定されるものでなく、例えば、１．１気圧を超えて２．０気圧の範囲に設定することもできる。
【産業上の利用可能性】
【００５６】
本発明は、人間（人体）や小動物を大気圧を超える気圧に曝すための内部空間を有する高圧空間形成装置に好適である。
【符号の説明】
【００５７】
Ａ  内部空間
Ｘ  高圧空間形成装置
２  制御手段
３  大気圧検出手段（大気圧センサ）
６  高圧空気供給手段（高圧空気コンプレッサ）
７  空気供給手段（空気コンプレッサ）
３１、６１  耐圧ボックス
３２  開閉扉体
３３  空気抜き窓口
３４  空気抜き窓体
３５  空気調整穴
３８  出入口
【図１】
2012143346.tif 000003
【図２】
2012143346.tif 000004
【図３】
2012143346.tif 000005
【図４】
2012143346.tif 000006
【図５】
2012143346.tif 000007
【図６】
2012143346.tif 000008
【図７】
2012143346.tif 000009
【図８】
2012143346.tif 000010
【図９】
2012143346.tif 000011
【図１０】
2012143346.tif 000012
【図１１】
2012143346.tif 000013
【図１２】
2012143346.tif 000014
【図１３】
2012143346.tif 000015
【図１４】
2012143346.tif 000016
【図１５】
2012143346.tif 000017
【図１６】
2012143346.tif 000018